(57)【要約】【課題】手動制御が行われる樋門・樋管の管理・運用を効率的に行うことを可能とする手動入力による樋門・樋管の情報収集システムを提供する。【解決手段】操作員が樋門・樋管観測装置１４ａ〜１４ｉの扉を開くと、到着監視手段７０は前記扉の位置変化を検出して到着信号Ｓｂを生成し、この到着信号Ｓｂを樋門・樋管情報収集装置１８及び電源部７８に送信する。電源部７８は到着信号Ｓｂに基づいてデータ入力部５８に電力を供給し、データ入力部５８を起動させる。前記操作員は、データ入力部５８に外水位、内水位及びゲート４０の開閉状況を示すデータを入力する。これにより、データ入力部５８から樋門・樋管情報収集装置１８に前記外水位、前記内水位及びゲート４０の開閉状況を示すデータ信号Ｓａが送信される。【選択図】図１
2005256347.tif 000002
【特許請求の範囲】
【請求項１】
河川に複数設けられた樋門・樋管の設置位置に各々配置され、且つ操作員が前記河川及び前記各樋門・樋管の状況を示すデータを各々入力操作するデータ入力部を有する複数の樋門・樋管観測装置と、
前記データを示すデータ信号を通信回線を介して前記各樋門・樋管観測装置から受信し、且つ前記各データ信号に基づいて前記河川及び前記各樋門・樋管の状況を示す内容を出力する出力装置を有する樋門・樋管情報収集装置と、
を備える
ことを特徴とする手動入力による樋門・樋管の情報収集システム。
【請求項２】
請求項１記載の手動入力による樋門・樋管の情報収集システムにおいて、
前記各樋門・樋管観測装置は、前記操作員の到着を検出する到着監視手段をさらに有し、
前記各到着監視手段は、前記操作員が前記各樋門・樋管観測装置に到着したときに、前記操作員が到着したことを示す到着信号を前記通信回線を介して前記樋門・樋管情報収集装置に各々送信し、
前記出力装置は、前記樋門・樋管情報収集装置が受信した前記各到着信号に基づいて、前記操作員が前記各樋門・樋管観測装置に到着したことを出力する
ことを特徴とする手動入力による樋門・樋管の情報収集システム。
【請求項３】
請求項２記載の手動入力による樋門・樋管の情報収集システムにおいて、
前記各樋門・樋管観測装置は、前記データ入力部に電力を供給する電源部をさらに有し、
前記各到着監視手段が前記到着信号を発生した場合、前記電源部は、前記到着信号に基づいて前記データ入力部に電力を供給する
ことを特徴とする手動入力による樋門・樋管の情報収集システム。
【請求項４】
河川に複数設けられた樋門・樋管の設置位置に隣接して配置され、且つ操作員が前記河川及び前記各樋門・樋管の状況を示すデータを入力操作するデータ入力部を有する１つの樋門・樋管観測装置と、
前記各データを示すデータ信号を通信回線を介して前記樋門・樋管観測装置から受信し、且つ前記各データ信号に基づいて前記河川及び前記各樋門・樋管の状況を示す内容を出力する出力装置を有する樋門・樋管情報収集装置と、
を備える
ことを特徴とする手動入力による樋門・樋管の情報収集システム。
【請求項５】
河川に複数設けられた樋門・樋管の設置位置に各々配置され、且つ操作員が前記河川及び前記各樋門・樋管の状況を示すデータを各々入力操作するデータ入力部を有する複数の樋門・樋管観測装置と、
前記データを示すデータ信号を通信回線を介して前記各樋門・樋管観測装置から受信し、且つ前記各データ信号に基づいて前記河川及び前記各樋門・樋管の状況を出力する出力装置を有すると共に、前記河川に複数設けられた他の樋門・樋管の設置位置に各々配置され、且つ前記樋門・樋管を制御する複数の現場装置について、前記通信回線を介して監視・制御を行う中央装置と、
を備える
ことを特徴とする手動入力による樋門・樋管の情報収集システム。
【発明の詳細な説明】
【技術分野】
【０００１】
本発明は、樋門・樋管及び河川の状況を観測する樋門・樋管観測装置と、前記樋門・樋管観測装置からのデータを収集する樋門・樋管情報収集装置とを備える手動入力による樋門・樋管の情報収集システムに関する。
【背景技術】
【０００２】
急流且つ流域面積の小さい河川が他国よりも多い我が国では、河川領域の本川と支川との間あるいはその支川と他の支川との間に、河川における制水施設としての樋門・樋管が多数配置されている。これらの樋門・樋管は、堤防内を横断して設けられる水路に設けられたゲートを有し、このゲートを開閉することにより水路における水の流れが制御される。例えば、堤外地における本川の水位（外水位）が堤内地における支川の水位（内水位）よりも低い場合、ゲートを開放して支川から本川に水を流出させる一方、外水位が内水位よりも高い場合、ゲートを閉鎖して本川から支川に流入しようとする水をせき止めるようにしている。
【０００３】
従って、樋門・樋管の適切な管理と運用とを行うためには、河川の内水位及び外水位の変動に対応してゲートを的確に開閉することが重要である。
【０００４】
そこで、従来技術に係る樋門・樋管の監視システム３００では、図１８に示すように、河川の本川３０２と支川３０４との間あるいは支川３０４と他の支川３０６との間に各々設けられた樋門・樋管３０８の設置位置に、樋門・樋管３０８の観測・制御を行う観測制御装置（現場装置）３１０が設けられ、これらの現場装置３１０と、遠隔地から各現場装置３１０の監視・制御を行う監視制御装置（中央装置）３１２とを、光ファイバケーブル、電話回線、無線通信回線等の通信回線３１４を介して接続するようにしている。
【０００５】
この場合、樋門・樋管３０８のゲート３１６を挟んで堤外地３１８側には、外水位を測定する外水位計３２０が配置され、堤内地３２２側には、内水位を測定する内水位計３２４が各々配置されている。そのため、各樋門・樋管３０８におけるゲート３１６の開閉状況や内水位及び外水位は、通信回線３１４を介して各現場装置３１０から中央装置３１２に送信され、中央装置３１２は通信回線３１４及び各現場装置３１０を介して各樋門・樋管３０８を監視する。
【０００６】
また、中央装置３１２は、ワークステーション又はコンピュータ等の端末装置３２６を備え、さらにインターネット回線３２８を介してパーソナルコンピュータ（ＰＣ）３３０、携帯情報端末（ＰＤＡ）３３２及び携帯電話３３４にも接続されている。これにより、河川及び樋門・樋管３０８の状況は、パーソナルコンピュータ３３０、ＰＤＡ３３２及び携帯電話３３４からも把握される。さらに、通信回線３１４を介して中央装置３１２から各現場装置３１０に制御信号を送信することにより、各現場装置３１０のゲート操作手段３３６により各ゲート３１６が自動的に制御（電動制御）されるようになっている。
【０００７】
なお、本出願人が調べたところ、本願発明に関する先行技術が公知発明として記載された文献はなかった。
【発明の開示】
【発明が解決しようとする課題】
【０００８】
ところで、河川領域に配置される樋門・樋管のうち、大部分の樋門・樋管は、ゲートに接続されたゲート昇降装置のハンドルを操作員が操作することにより、このゲートが開閉制御（手動制御）されるようになっている。
【０００９】
そのため、従来技術に係る樋門・樋管の監視システム３００を構築する場合、手動制御の樋門・樋管を電動制御の樋門・樋管３０８に交換する必要がある。この場合、１つの樋門・樋管３０８に対して、現場装置３１０と外水位計３２０と内水位計３２４とゲート操作手段３３６とを各々配置する必要があり、これらの装置の設置工事に要するコストと時間とが莫大なものとなる。
【００１０】
一方、手動制御による樋門・樋管に関しても、操作員は、担当する樋門・樋管に定期的に直接出向き、河川及び樋門・樋門の状況に応じてゲートの手動制御を行うようにしているので、迅速且つ弾力的な樋門・樋管の管理・運用がなされているとはいえない。
【００１１】
この場合、樋門・樋管に出向いた操作員は、内水位及び外水位並びにゲートの開閉状況を、河川を管理する事務所や出張所に携帯電話等の携帯端末を用いて報告するようにしている。
【００１２】
しかしながら、樋門・樋管の設置位置が携帯端末の通じない不感地帯である場合、操作員が携帯端末の操作を誤った場合、あるいは事務所や出張所の担当者が不在又は話中である場合、操作員が把握した内水位及び外水位並びにゲートの開閉状況を的確に事務所や出張所に報告することができない。そのため、より迅速且つ弾力的な樋門・樋管の管理・運用が困難となる。
【００１３】
本発明は、手動制御が行われる樋門・樋管の管理・運用を効率的に行うことを可能とする手動入力による樋門・樋管の情報収集システムを提供することを目的とする。
【課題を解決するための手段】
【００１４】
本発明に係る手動入力による樋門・樋管の情報収集システムは、河川に複数設けられた樋門・樋管の設置位置に各々配置され、且つ操作員が前記河川及び前記各樋門・樋管の状況を示すデータを各々入力操作するデータ入力部を有する複数の樋門・樋管観測装置と、前記データを示すデータ信号を通信回線を介して前記各樋門・樋管観測装置から受信し、且つ前記各データ信号に基づいて前記河川及び前記各樋門・樋管の状況を示す内容を出力する出力装置を有する樋門・樋管情報収集装置と、を備えることを特徴とする（請求項１記載の発明）。
【００１５】
前記樋門・樋管観測装置と前記樋門・樋管情報収集装置とが前記通信回線を介して接続されているので、前記樋門・樋管の前記設置位置が携帯端末の通じない不感地帯であっても、前記操作員が前記データを前記データ入力部に入力することにより、前記データ信号が前記通信回線を介して前記樋門・樋管観測装置から前記樋門・樋管情報収集装置に確実に送信される。これにより、前記樋門・樋管情報収集装置の担当者は、前記河川及び前記樋門・樋管の状況を正確に把握できると共に、前記操作員に対して適切な指示内容を伝達することができる。
【００１６】
また、前記通信回線を介して送信される信号が前記データ信号のみであるから、従来技術に係る樋門・樋管の監視システムと比較して、前記通信回線を通過する情報量が大幅に減少し、前記通信回線の負荷を低減することができる。
【００１７】
ここで、前記河川及び前記各樋門・樋管の状況を示すデータとは、前記河川の外水位及び内水位並びに前記各樋門・樋管を構成するゲートの開閉状況をいう。また、前記通信回線は、光ファイバケーブルであることが好ましい。
【００１８】
特に、前記光ファイバケーブルは、前記河川領域に多数敷設されているので、前記光ファイバケーブルを利用することにより、システムを構築するために必要なコストを低減することが可能となる。
【００１９】
この場合、前記各樋門・樋管観測装置は、前記操作員の到着を検出する到着監視手段をさらに有し、前記各到着監視手段は、前記操作員が前記各樋門・樋管観測装置に到着したときに、前記操作員が到着したことを示す到着信号を前記通信回線を介して前記樋門・樋管情報収集装置に各々送信し、前記出力装置は、前記樋門・樋管情報収集装置が受信した前記各到着信号に基づいて、前記操作員が前記各樋門・樋管観測装置に到着したことを出力してもよい（請求項２記載の発明）。
【００２０】
これにより、前記操作員の到着を前記樋門・樋管情報収集装置において把握できると共に、前記操作員が定期的に前記樋門・樋管に出向いているか否かを把握することも可能となる。
【００２１】
また、前記各樋門・樋管観測装置は、前記データ入力部に電力を供給する電源部をさらに有し、前記各到着監視手段が前記到着信号を発生した場合、前記電源部は、前記到着信号に基づいて前記データ入力部に電力を供給してもよい（請求項３記載の発明）。
【００２２】
これにより、前記操作員が前記各樋門・樋管観測装置に到着する前から前記データ入力部に電力が供給されることはないので、前記各樋門・樋管観測装置の消費電力を低減することができ、システム全体の運用コストを節約することが可能となる。
【００２３】
また、本発明に係る手動入力による樋門・樋管の情報収集システムは、河川に複数設けられた樋門・樋管の設置位置に隣接して配置され、且つ操作員が前記河川及び前記各樋門・樋管の状況を示すデータを入力操作するデータ入力部を有する１つの樋門・樋管観測装置と、前記各データを示すデータ信号を通信回線を介して前記樋門・樋管観測装置から受信し、且つ前記各データ信号に基づいて前記河川及び前記各樋門・樋管の状況を示す内容を出力する出力装置を有する樋門・樋管情報収集装置と、を備えることを特徴とする（請求項４記載の発明）。
【００２４】
この場合、隣接する前記複数の樋門・樋管に対して前記１つの樋門・樋管観測装置が配置されているので、前記情報収集システムにおける樋門・樋管観測装置の設置個数を減少させることができ、システム全体の構築コストを低減することが可能となる。また、前記樋門・樋管観測装置に隣接して前記各樋門・樋管が配置されているので、前記操作員の負担を軽減することが可能となる。
【００２５】
さらに、本発明に係る手動入力による樋門・樋管の情報収集システムは、河川に複数設けられた樋門・樋管の設置位置に各々配置され、且つ操作員が前記河川及び前記各樋門・樋管の状況を示すデータを各々入力操作するデータ入力部を有する複数の樋門・樋管観測装置と、前記データを示すデータ信号を通信回線を介して前記各樋門・樋管観測装置から受信し、且つ前記各データ信号に基づいて前記河川及び前記各樋門・樋管の状況を出力する出力装置を有すると共に、前記河川に複数設けられた他の樋門・樋管の設置位置に各々配置され、且つ前記樋門・樋管を制御する複数の現場装置について、前記通信回線を介して監視・制御を行う中央装置と、を備えることを特徴とする（請求項５記載の発明）。
【００２６】
これにより、河川領域において自動制御の前記現場装置が既設されている場合、手動制御の前記樋門・樋管の前記設置位置に前記樋門・樋管観測装置を配置し、前記現場装置及び前記樋門・樋管観測装置と、前記中央装置とを前記通信回線を介して接続することにより、前記現場装置及び前記樋門・樋管観測装置を前記中央装置において一括して管理・運用することが可能となる。
【発明の効果】
【００２７】
本発明に係る手動入力による樋門・樋管の情報収集システムでは、樋門・樋管観測装置と樋門・樋管情報収集装置とが通信回線を介して接続されているので、樋門・樋管の設置位置が携帯端末の通じない不感地帯であっても、操作員がデータをデータ入力部に入力することにより、前記データ信号が前記樋門・樋管観測装置から前記樋門・樋管情報収集装置に確実に送信される。これにより、前記樋門・樋管情報収集装置の担当者は、河川及び前記樋門・樋管の状況を正確に把握できると共に、前記操作員に対して適切な指示内容を伝達することができる。
【００２８】
また、前記通信回線を介して送信される信号が前記データ信号のみであるから、従来技術に係る樋門・樋管の監視システムと比較して、前記通信回線を通過する情報量が大幅に減少し、前記通信回線の負荷を低減することができる。
【００２９】
また、本発明に係る手動入力による樋門・樋管の情報収集システムでは、隣接する複数の樋門・樋管に対して１つの樋門・樋管観測装置が配置されているので、前記情報収集システムにおける樋門・樋管観測装置の設置個数を減少させることができ、システム全体の構築コストを低減することが可能となる。また、操作員がデータ入力部に各データを入力操作することにより、樋門・樋管情報収集装置は、河川及び前記各樋門・樋管の状況を一挙に把握することができる。
【００３０】
さらに、本発明に係る手動入力による樋門・樋管の情報収集システムでは、河川領域において自動制御の現場装置が既設されている場合、手動制御の樋門・樋管の設置位置に樋門・樋管観測装置を配置し、前記現場装置及び前記樋門・樋管観測装置と中央装置とを通信回線を介して接続することにより、前記現場装置及び前記樋門・樋管観測装置を前記中央装置において一括して管理・運用することが可能となる。
【発明を実施するための最良の形態】
【００３１】
本発明に係る手動入力による樋門・樋管の情報収集システムについて好適な実施の形態を挙げ、添付の図面を参照しながら以下詳細に説明する。
【００３２】
図１は、第１の実施の形態に係る樋門・樋管の情報収集システム１０Ａの説明図であり、図２は、河川領域における樋門・樋管の配置状況を示す平面図である。
【００３３】
樋門・樋管の情報収集システム１０Ａは、河川領域の本川２０とこの本川２０に合流する支川２２との間や、本川２０に合流する１次支川２４とこの１次支川２４に合流する２次支川２６との間にそれぞれ設けられた複数の樋門・樋管１２ａ〜１２ｉと、これらの樋門・樋管１２ａ〜１２ｉの設置位置にそれぞれ設けられた樋門・樋管観測装置１４ａ〜１４ｉと、光ファイバケーブルから構成される通信回線１６を介して各樋門・樋管観測装置１４ａ〜１４ｉに接続された樋門・樋管情報収集装置１８とから構成される。
【００３４】
樋門・樋管１２ａ〜１２ｉのうち、代表的に樋門・樋管１２ａについて、図３を参照しながら説明すると、樋門・樋管１２ａは、本川２０に沿って配置された堤防３４を横断して設けられ、堤防３４を挟んで堤外地３０を流れる本川２０と、堤内地３２を流れる１次支川２４とをゲート４０で仕切っている。
【００３５】
樋門・樋管１２ａは略門形の樋門・樋管本体３６を有し、樋門・樋管本体３６上方は柵３８で囲繞されている。樋門・樋管本体３６は、堤防３４及び１次支川２４に立設する複数の柱部３６ａと、各柱部３６ａの頂部を渡すように配置された梁部３６ｂと、梁部３６ｂと堤内地３２とを橋架する橋架部３６ｃとから構成される。
【００３６】
前述したゲート４０は各柱部３６ａ間に設けられ、ゲート４０の頂部から上向きにロッド４２が延在している。ロッド４２は、梁部３６ｂに設けられた図示しない孔部及び前記孔部上方に設けられたゲート昇降装置４４を貫通して上方に延在し、その側面にはラック４２ａが形成されている。各ラック４２ａは、ゲート昇降装置４４内の図示しないピニオンと係合し、前記ピニオンはゲート昇降装置４４側部に設けられたハンドル４６に接続されている。
【００３７】
また、橋架部３６ｃの堤内地３２側には、樋門・樋管１２ａの操作員４８以外の人間が樋門・樋管１２ａ内に立ち入ることを防止するための扉５０が設けられている。
【００３８】
さらに、ゲート４０を挟んで本川２０側には、本川２０の水位（外水位）を測定するための外水位計５２が柱部３６ａ側面に設けられ、１次支川２４側には、１次支川２４の水位（内水位）を測定するための内水位計５４が柱部３６ａ側面に設けられている。
【００３９】
樋門・樋管１２ａにおいて、操作員４８がゲート４０を操作する場合、操作員４８は、先ず、扉５０を開いて橋架部３６ｃから梁部３６ｂに進入する。次いで、操作員４８がハンドル４６を回すことにより、ゲート昇降装置４４内の前記ピニオンが回転し、前記ピニオンに係合するラック４２ａを介してロッド４２が上下方向に移動し、ゲート４０が上下方向に昇降する。
【００４０】
この場合、図４に示すように、堤外地３０側における本川２０の水位（外水位）が、堤内地３２側における１次支川２４の水位（内水位）よりも低い場合、操作員４８は、ハンドル４６を操作してゲート昇降装置４４及びロッド４２を介してゲート４０を上昇させ、１次支川２４の水を本川２０に流出させる。
【００４１】
一方、図５に示すように、本川２０の外水位が１次支川２４の内水位よりも高い場合、操作員４８は、ハンドル４６を操作してゲート昇降装置４４及びロッド４２を介してゲート４０を下降させ、本川２０から１次支川２４への水の流入をせき止める。
【００４２】
ここで、操作員４８がハンドル４６を操作してゲート４０の昇降を行うことを便宜的に手動制御と称し、以下において説明する。
【００４３】
また、操作員４８は、樋門・樋管１２ａ近傍に配置された樋門・樋管観測装置の扉５６を開き、データ入力部５８に対してゲート４０の開閉状況や、本川２０の外水位及び１次支川２４の内水位の入力操作を行う。
【００４４】
なお、上述した樋門・樋管１２ａの構成及び機能は、他の樋門・樋管１２ｂ〜１２ｉにおいても同様に有する。また、上述した樋門・樋管１２ａのゲート４０は、各柱部３６ａ間で並列に配置されているが、堤外地３０から堤内地３２に向って直列に配置される場合もある。
【００４５】
また、図２に示す河川領域には、上述した手動制御による樋門・樋管１２ａ〜１２ｉの他にも、複数の樋門・樋管２８ａ〜２８ｅが配置されている。
【００４６】
代表的に樋門・樋管２８ａについて、図６を参照しながら説明すると、樋門・樋管２８ａは、手動制御の樋門・樋管１２ａ（図３参照）と比較して、梁部３６ｂ上に現場装置６０ａが配置され、ゲート昇降装置４４の代わりゲート昇降装置６６が配置され、樋門・樋管観測装置１４ａが配置されていない。
【００４７】
この場合、操作員４８が現場装置６０ａの扉６２を開き、且つ操作手段６４を操作すると、現場装置６０ａからゲート昇降装置６６に信号が送信され、ゲート昇降装置６６は前記信号に基づいてロッド４２を上下方向に移動させて、ゲート４０を昇降させる。
【００４８】
なお、上述した樋門・樋管２８ａの構成及び機能は、他の樋門・樋管２８ａ〜２８ｅにおいても同様に有する。また、操作員４８が現場装置６０ａを操作してゲート４０の昇降を行うことを便宜的に電動制御と称し、以下において説明する。
【００４９】
ここで、手動制御の樋門・樋管１２ａ〜１２ｉの設置位置と、電動制御の樋門・樋管２８ａ〜２８ｅの設置位置とについて説明すると、樋門・樋管１２ａ〜１２ｉは、河川管理において必ずしも重要度が高くない位置（例えば、１次支川２４と２次支川２６との間）に設置される一方、樋門・樋管２８ａ〜２８ｅは、河川管理において重要度の高い位置（例えば、本川２０と支川２２又は１次支川２４との間）に設置される。従って、河川領域において、手動制御の樋門・樋管１２ａ〜１２ｉは、電動制御の樋門・樋管２８ａ〜２８ｅよりも多く設置されている。なお、河川管理の重要度が高いとは、外水位が内水位よりも高くなったときに、堤外地３０から堤内地３２に流入した水の堤内地３２に及ぼす影響が大きいことをいい、河川管理の重要度が必ずしも高くないとは、河川管理の重要度が高い場合よりも堤内地３２に流入した前記水の影響が小さいことをいう。
【００５０】
樋門・樋管観測装置１４ａは、図１に示すように、操作員４８が入力操作を行うデータ入力部５８と、操作員４８の到着を監視する到着監視手段７０と、データ入力部５８からのデータ信号Ｓａ及び到着監視手段７０からの到着監視信号Ｓｂを通信回線１６を介して樋門・樋管情報収集装置１８に送信するハブ７２と、ハブ７２からのデータ信号Ｓａ又は到着監視信号Ｓｂを電気信号から光信号に変換するＥ／Ｏ変換部７４と、Ｅ／Ｏ変換部７４と通信回線１６とを接続する光成端箱７６と、電源部７８とから構成されている。
【００５１】
データ入力部５８は、図７に示すように、タッチパネルの表示画面から構成され、前記表示画面は、樋門・樋管１２ａ〜１２ｉ又はゲート４０の名称を表示する名称表示部１００と、０〜９の数字及び小数点が各々付与されたテンキー１０２と、操作員４８が入力した内容を確定するための確定キー１０４と、確定キー１０４を操作する前に操作員４８が入力した内容を取り消す取消キー１０６と、各テンキー１０２及び確定キー１０４の操作により外水位が表示される外水位表示部１０８と、各テンキー１０２及び確定キー１０４の操作により内水位が表示される内水位表示部１１０と、ゲート４０の開閉状態を表示する開閉状態表示部１１２と、開閉状態表示部１１２の表示内容を切り換える開閉状態切替キー１１４と、樋門・樋管１２ａ〜１２ｉに複数のゲート４０が配置されている場合、前記表示画面全体の内容を現在表示されているゲート４０とは異なるゲート４０の表示内容に切り換えるための場所切替キー１１６と、データ入力部５８に入力されたデータをデータ信号Ｓａとして樋門・樋管情報収集装置１８（図１参照）に送信するための送信キー１１８とから構成される。
【００５２】
図７は、操作員４８が、８．３２ｍの外水位、１２．２５ｍの内水位、及びゲート４０が開放状態にあることを示す各データをデータ入力部５８に入力した結果の一例を示している。
【００５３】
到着監視手段７０は、例えば、扉５６の開閉に基づいて信号を出力する接点スイッチから構成され、操作員４８が樋門・樋管観測装置１４ａに到着して扉５６を開いた場合、前記接点スイッチの図示しないボタンが扉５６による押圧状態から開放されることで、扉５６の位置変化を到着監視信号Ｓｂとして出力すると共に、操作員４８がデータ入力部５８の入力操作を完了した後に扉５６を閉めた場合、前記ボタンが扉５６によって押圧状態となることで、扉５６の位置変化を作業完了信号Ｓｃとして出力する。この到着監視信号Ｓｂはハブ７２と電源部７８に各々送信され、電源部７８は到着監視信号Ｓｂに基づいてデータ入力部５８に電力を供給して、データ入力部５８を起動させる。一方、作業完了信号Ｓｃが到着監視手段７０から電源部７８に送信されると、電源部７８は作業完了信号Ｓｃに基づいてデータ入力部５８に対する電力供給を停止する。従って、操作員４８が扉５６を開けている間のみ、データ入力部５８は操作員４８による入力操作が可能である。
【００５４】
樋門・樋管情報収集装置１８は、図１に示すように、通信回線１６に接続された光成端箱９０と、通信回線１６及び光成端箱９０を介して受信されたデータ信号Ｓａ及び到着監視信号Ｓｂを示す光信号を電気信号に変換するＯ／Ｅ変換部９２と、前記電気信号をその宛先に従って樋門・樋管情報収集装置１８内の所定の場所に送信するハブ９４と、ハブ９４に接続され、且つデータ信号Ｓａ及び到着監視信号Ｓｂの内容を処理するサーバ９６と、ハブ９４に接続され、且つデータ信号Ｓａ及び到着監視信号Ｓｂの内容を表示する出力端末９８とから構成される。
【００５５】
出力端末９８は、例えばパーソナルコンピュータ又はワークステーションのディスプレイや、プリンタである。
【００５６】
第１の実施の形態に係る樋門・樋管の情報収集システム１０Ａの構成は、上述した通りであるが、次に、その動作について図８のフローチャートを参照しながら説明する。
【００５７】
先ず、操作員４８が、本川２０及び支川２２、本川２０及び１次支川２４、あるいは１次支川２４及び２次支川２６（図２参照）の状況を調べるために、各樋門・樋管１２ａ〜１２ｉに出向く（ステップＳ１）。この場合、操作員４８が各樋門・樋管１２ａ〜１２ｉに出向くタイミングは、定期的であってもよいし、樋門・樋管情報収集装置１８（図１参照）の担当者から操作員４８に対して、携帯電話等の通信手段を介し各樋門・樋管１２ａ〜１２ｉに出向くような指示内容を伝達してもよい。
【００５８】
各樋門・樋管１２ａ〜１２ｉに出向いた操作員４８は、先ず、外水位計５２及び内水位計５４（図３参照）を観測して外水位及び内水位を把握する。前記外水位が前記内水位よりも高い場合（図６参照）、操作員４８は、堤外地３０から堤内地３２に水が流入するおそれがあるので、ゲート４０を下降させて堤外地３０から堤内地３２への水の流入をせき止める必要があると判断する。一方、前記外水位が前記内水位よりも低い場合（図５参照）、操作員４８は、ゲート４０を上昇させて堤内地３２から堤外地３０に水を流出させる必要があると判断する。
【００５９】
次に、操作員４８は、扉５０を開いて樋門・樋管本体３６に進入し、ハンドル４６を操作してゲート４０を開閉させる。
【００６０】
前記外水位が前記内水位よりも高い場合、操作員４８によるハンドル４６の操作に基づいて、ゲート昇降装置４４は図示しないピニオンを介してラック４２ａを摺動させ、ロッド４２を下方向に移動させる。これにより、ゲート４０が下降して閉鎖され、堤外地３０から堤内地３２への水の流入がせき止められる。
【００６１】
一方、前記外水位が前記内水位よりも低い場合、操作員４８によるハンドル４６の操作に基づいて、ゲート昇降装置４４は図示しないピニオンを介してラック４２ａを摺動させ、ロッド４２を上方向に移動させる。これにより、ゲート４０が開放され、堤内地３２から堤外地３０に水が流出する。
【００６２】
次に、操作員４８は、樋門・樋管本体３６から樋門・樋管観測装置１４ａ〜１４ｉに移動し、扉５６を開く（ステップＳ２）。到着監視手段７０は扉５６の位置変化を検出してから到着信号Ｓｂを生成し（ステップＳ３）、この到着信号Ｓｂを樋門・樋管情報収集装置１８及び電源部７８に送信する（ステップＳ４）。
【００６３】
この場合、樋門・樋管情報収集装置１８に送信される到着信号Ｓｂは、ハブ７２を介してＥ／Ｏ変換部７４で電気信号から光信号に変換され、前記光信号は光成端箱７６及び通信回線１６を介して樋門・樋管情報収集装置１８に送信される。樋門・樋管情報収集装置１８内の光成端箱９０に受信された前記光信号は、Ｏ／Ｅ変換部９２で電気信号に変換され、前記電気信号はハブ９４を介してサーバ９６に送信される（ステップＳ５）。
【００６４】
受信された到着信号Ｓｂはサーバ９６内で処理され、操作員４８が樋門・樋管観測装置１４ａ〜１４ｉに到着したことを示す内容は、サーバ９６からハブ９４を介して出力端末９８に出力される（ステップＳ６）。これにより、樋門・樋管情報収集装置１８の担当者は、操作員４８が樋門・樋管観測装置１４ａ〜１４ｉに到着したことを把握することができる。
【００６５】
一方、ステップＳ４後、電源部７８は、受信した到着信号Ｓｂに基づいてデータ入力部５８に電力を供給する。これにより、データ入力部５８が起動すると共に、データ入力部５８は操作員４８による入力操作が可能な状態に至る（ステップＳ７）。
【００６６】
次に、操作員４８は、データ入力部５８に外水位、内水位及びゲート４０の開閉状況を示すデータを入力する（ステップＳ８）。
【００６７】
図７の例を参照しながら説明すると、操作員４８は、先ず、データ入力の対象となるゲート４０の名称が名称表示部１００に表示されるまで、場所切替キー１１６を操作する。なお、樋門・樋管１２ａ〜１２ｉに１つのゲート４０しか配置されていない場合、操作員４８は場所切替キー１１６を操作する必要はなく、図７に示すように、ゲート４０の名称の代わりに樋門・樋管１２ａ〜１２ｉの名称が表示される。
【００６８】
次に、所望のゲート４０の名称が名称表示部１００に表示された場合、操作員４８は、テンキー１０２を操作して外水位（８．３２ｍ）を示す“８”、“．”、“３”及び“２”の数字及び少数点を順次入力した後に確定キー１０４を操作する。これにより、外水位表示部１０８に“８．３２”が表示され、操作員４８はデータ入力部５８に前記外水位が入力されたことを確認することができる。
【００６９】
次に、操作員４８は、前記外水位の入力操作と同様に、テンキー１０２を操作して内水位（１２．２５ｍ）を示す“１”、“２”、“．”、“２”及び“５”の数字及び少数点を順次入力した後に確定キー１０４を操作する。これにより、内水位表示部１１０に“１２．２５”が表示され、操作員４８はデータ入力部５８に前記内水位の値が入力されたことを確認することができる。
【００７０】
なお、テンキー１０２の入力操作を誤った場合、操作員４８は取消キー１０６を操作して、データ入力部５８に入力した内容を取り消すことができる。
【００７１】
次に、操作員４８は、開閉状態切替キー１１４を操作して、ゲート４０の開閉状態をデータ入力部５８に入力する。この場合、操作員４８が開閉状態切替キー１１４を操作する度に、開閉状態表示部１１２には、“開”及び“閉”の文字が順次表示される。
【００７２】
ここで、前記“開”はゲート４０が開放された状態を示し、前記“閉” はゲート４０が閉鎖された状態を示す。
【００７３】
次に、操作員４８は、外水位、内水位及びゲート４０の開閉状態の入力操作を完了したことを確認してから、送信キー１１８を操作する。これにより、データ入力部５８において、前記外水位、前記内水位及びゲート４０の開閉状態を示すデータ信号Ｓａが生成され、樋門・樋管情報収集装置１８に送信される（ステップＳ９）。この場合、データ信号Ｓａは、ハブ７２を介してＥ／Ｏ変換部７４で電気信号から光信号に変換され、光成端箱７６及び通信回線１６を介して樋門・樋管情報収集装置１８に送信される。
【００７４】
樋門・樋管情報収集装置１８内の光成端箱９０に受信された前記光信号は、Ｏ／Ｅ変換部９２で電気信号に変換され、前記電気信号はハブ９４を介してサーバ９６に送信される（ステップＳ１０）。
【００７５】
受信されたデータ信号Ｓａはサーバ９６内で処理され、各樋門・樋管１２ａ〜１２ｉにおける外水位、内水位及びゲート４０の開閉状態を示す内容は、サーバ９６からハブ９４を介して出力端末９８に出力される（ステップＳ１１）。これにより、樋門・樋管情報収集装置１８の担当者は、各樋門・樋管１２ａ〜１２ｉにおける前記外水位、前記内水位及びゲート４０の開閉状態を把握することができる。
【００７６】
図９〜図１２は、ステップＳ１１において、出力端末９８がパーソナルコンピュータ又はワークステーションを構成するディスプレイの画面である場合、前記画面上に表示される各樋門・樋管の外水位、内水位及びゲート４０の開閉状況の表示内容を各々示す説明図である。なお、図９〜図１２では、Ａ川〜Ｆ川にａ樋門〜ｗ樋門が各々配置され、各樋門の設置位置に樋門・樋管観測装置が配置された場合におけるａ樋門〜ｗ樋門の外水位、内水位及びゲート４０の開閉状況について示している。
【００７７】
図９は、樋門・樋管情報収集装置１８の管理・運用の対象であるａ樋門〜ｗ樋門及びＡ川〜Ｆ川を、前記画面上に平面地図で表示したものであり、前記画面の左上方には、前記画面の表示内容を簡潔を表示した画面内容表示部１２０が配置されている。この場合、画面内容表示部１２０には、「管内水門等現況図」の文字が配置されている。樋門・樋管情報収集装置１８の担当者は、前記表示内容より、Ａ川〜Ｆ川流域のどの場所にａ樋門〜ｗ樋門が配置されているのかを一挙に把握することができる。
【００７８】
前記画面の右上方には、現在時刻（図９では２００３年１０月２１日１７時２３分）を表示する現在時刻表示部１２４が配置されている。この場合、前記現在時刻とは、前記担当者が前記画面を見ている時刻であり、前記現在時刻における前記画面の表示内容は、前記現在時刻においてサーバ９６内に蓄積されているａ樋門〜ｗ樋門に関するデータ内容（外水位、内水位及びゲート４０の開閉状況）である。
【００７９】
前記画面の右下方には、ゲート４０の開閉状況を説明するゲート開閉状況表示部１２６が配置されている。この場合、ゲート開閉状況表示部１２６には、ゲート４０が開放されていることを示す「ゲート開」と、ゲート４０が閉鎖されていることを示す「ゲート閉」と、ゲート４０が故障又は異常状態であることを示す「異常故障」とを各々示す記号が配置されている。ここで、ゲート４０における故障又は異常状態とは、例えば、樋門・樋管観測装置１４ａ〜１４ｉの内部における故障や、樋門・樋管観測装置１４ａ〜１４ｉと樋門・樋管情報収集装置１８との間を接続する通信回線１６の断線をいう。
【００８０】
前記画面の前記地図上には、Ａ川〜Ｆ川及びａ樋門〜ｗ樋門を示す丸印が各々配置され、前記丸印に対応してａ樋門〜ｗ樋門の外水位及び内水位のデータが表示された樋門情報表示部１２８が配置されている。樋門情報表示部１２８は、ａ樋門〜ｗ樋門の名称を表示する樋門・樋管名称表示部１３０と、外水位を表示する外水位表示部１３２と、内水位を表示する内水位表示部１３４とから構成されている。
【００８１】
外水位表示部１３２及び内水位表示部１３４内に表示された“↓”、“↑”及び“→”の記号は、ａ樋門〜ｗ樋門における前回の観測結果と比較したときの現在時刻の観測結果の変化を示し、“↓”は前回から現在時刻の外水位又は内水位が低下したことを示し、“↑”は前回から現在時刻の外水位又は内水位が増加したことを示し、“→”は前回から現在時刻の外水位又は内水位が変化していないことを示している。
【００８２】
従って、樋門・樋管情報収集装置１８の担当者は、例えばａ樋門の場合、現在時刻（２００３年１０月２１日１７時２３分）における外水位は７．８８ｍであって前回の測定から外水位が低下している一方、内水位は７．２９ｍであって前回の測定から内水位が変化していないことを把握することができる。
【００８３】
さらに、前記地図上には、樋門・樋管情報収集装置１８の設置位置を示す樋門・樋管情報収集装置表示部１３８が配置されている。これにより、樋門・樋管情報収集装置１８の前記担当者は、前記地図の中央に配置されたＧ出張所に樋門・樋管情報収集装置１８が設置され、前記担当者自身はＧ出張所内に駐在していることを把握することができる。
【００８４】
さらに、前記画面の左側には、前記画面の表示内容を切り替える画面切替操作部１４０が表示され、前記担当者が画面切替操作部１４０内の各ボタンを操作することにより、図９に示す表示内容から図１０〜図１２に示す表示内容に切り換えることができる。なお、前記各ボタンの内容は、画面内容表示部１２０の表示内容と対応している。
【００８５】
図１０は、前記担当者が画面切替操作部１４０内の「個別現況図」のボタンを選択したときの前記画面の表示内容を示す説明図である。この場合、画面内容表示部１２０には「個別現況図」の文字が表示され、画面内容表示部１２０の直下には、ａ樋門〜ｗ樋門から所望の樋門を選択する樋門選択部１４８が配置されている。前記担当者が樋門選択部１４８を操作してａ樋門を選択すると、ａ樋門に関する内容が前記画面上に表示される。
【００８６】
ここで、樋門選択部１４８の直下には、ａ樋門の外観を画像で表示する外観表示部１５０が配置され、外観表示部１５０の直下には、ａ樋門の外水位、内水位、ゲートの開閉状況及び樋門・樋管観測装置１４ａとの通信状態を表示する樋門情報表示部１５２が配置されている。前記通信状態には、通信回線１６の通信状態及び樋門・樋管観測装置１４ａの状態が含まれる。
【００８７】
さらに、樋門情報表示部１５２の直下には、データ信号Ｓａ及び到着信号Ｓｂの到着履歴を前記画面上に表示させるための監視信号履歴選択部１５４と、ａ樋門における操作員４８の操作内容の履歴を示す操作履歴選択部１５６とが配置されている。
【００８８】
これにより、前記担当者は、ａ樋門の外観を見ながら現在時刻（図１０では２００３年１０月３１日１２時５分）におけるａ樋門の外水位、内水位、ゲート４０の開閉状況及び樋門・樋管観測装置１４ａとの通信状態を一挙に把握することができる。
【００８９】
さらにまた、前記担当者が、画面切替操作部１４０から「内水位・外水位表」のボタンを操作すると、前記画面に図１１に示す内容が表示される。この場合、前記画面には、左側から右側に向って、ａ樋門〜ｗ樋門の一覧を示す樋門・樋管名表示部１６０と、ａ樋門〜ｗ樋門が配置される河川の一覧を示す河川名表示部１６２と、ａ樋門〜ｗ樋門における外水位の一覧を示す外水位表示部１６４と、ａ樋門〜ｗ樋門における内水位の一覧を示す内水位表示部１６６と、ａ樋門〜ｗ樋門を構成するゲート４０の開閉状態の一覧を示すゲート状態表示部１６８とが、各々配置されている。この場合、ゲート状態表示部１６８の“Ｎｏ．１”、“Ｎｏ．２”及び“Ｎｏ．３”は、ａ樋門〜ｗ樋門に複数配置されるゲート４０の番号を示し、“−−−”はゲート４０が存在しないことを示す。
【００９０】
ここで、前記担当者は、例えばａ樋門がＡ川に配置され、現在時刻（図１１では２００３年１０月３１日２３時４分）における外水位が１２．３２ｍであり、内水位が１３．２４ｍであり、Ｎｏ．１及びＮｏ．２のゲート４０が開放状態にあることを把握することができる。
【００９１】
また、前記担当者は、例えばｃ樋管における外水位が１３．２４ｍであり、内水位が９．３６ｍであり、さらにＮｏ．１〜Ｎｏ．３のゲート４０について「開」と表示されている結果より、堤外地３０におけるＡ川（図１０参照）の水が堤内地３２に流入するおそれがあるものと判断し、ｃ樋管の操作員４８が有する携帯端末に対してＮｏ．１〜Ｎｏ．３のゲート４０を閉鎖するという指示内容を伝達する。
【００９２】
さらにまた、前記担当者が、画面切替操作部１４０から「操作履歴一覧」のボタンを操作すると、前記画面に図１２に示す内容が表示される。この場合、前記画面には、左側から右側に向って、樋門・樋管名表示部１６０と、河川名表示部１６２と、操作員４８がａ樋門〜ｗ樋門に関するデータ信号Ｓａを各樋門・樋管観測装置から樋門・樋管情報収集装置１８に送信した時間を表示する操作日時表示部１７０と、ゲート４０の開閉状況又は前記各樋門・樋管観測装置への操作員４８の到着を示す事象表示部１７２とが配置されている。
【００９３】
ここで、「操作履歴一覧」の表示内容は、ａ樋門〜ｗ樋門に関する最新の内容が表示されている。この場合、前記担当者は、例えば、ａ樋門に関し、樋門・樋管情報収集装置１８に蓄積されている最新の情報は、２００３年１２月２３日１４時２４分にＮｏ．１のゲート４０（ゲート１）が開放状態に至った内容であることを把握することができる。
【００９４】
このように、第１の実施の形態に係る樋門・樋管の情報収集システム１０Ａでは、樋門・樋管観測装置１４ａ〜１４ｉと樋門・樋管情報収集装置１８とが通信回線１６を介して接続されているので、樋門・樋管１２ａ〜１２ｉの設置位置が操作員４８の携帯する携帯端末が通じない不感地帯であっても、操作員４８が外水位、内水位及びゲート４０の開閉状況を示すデータを、データ入力部５８に入力することにより、データ信号Ｓａが樋門・樋管観測装置１４ａ〜１４ｉから樋門・樋管情報収集装置１８に確実に送信される。
【００９５】
これにより、樋門・樋管情報収集装置１８の担当者は、本川２０、支川２２、１次支川２４及び２次支川２６の水位（外水位、内水位）や、樋門・樋管１２ａ〜１２ｉにおけるゲート４０の開閉状況を正確に把握できると共に、操作員４８に対して適切な指示内容を伝達することができる。
【００９６】
また、通信回線１６を介して樋門・樋管観測装置１４ａ〜１４ｉから樋門・樋管情報収集装置１８に送信される信号が、データ信号Ｓａ及び到着信号Ｓｂのみであるから、従来技術に係る樋門・樋管の監視システム３００（図１８）と比較して、通信回線１６を通過する情報量を大幅に減少し、通信回線１６の負荷を低減させることができる。
【００９７】
また、通信回線１６として河川領域に敷設された光ファイバケーブルを利用することにより、システム全体の構築に要するコストを大幅に低減することが可能となる。
【００９８】
さらに、操作員４８が樋門・樋管観測装置１４ａ〜１４ｉの扉５６を開くと到着信号Ｓｂが到着監視手段７０から樋門・樋管情報収集装置１８に送信されるので、樋門・樋管情報収集装置１８の担当者は、操作員４８の到着を遠隔地において把握することが可能になると共に、操作員４８が定期的に、あるいは樋門・樋管情報収集装置１８からの指示に基づいて樋門・樋管１２ａ〜１２ｉに出向いているか否かを把握することも可能となる。
【００９９】
さらにまた、操作員４８が各樋門・樋管観測装置１４ａ〜１４ｉにいない場合には、電源部７８からデータ入力部５８に対する電力供給はない。これにより、各樋門・樋管観測装置１４ａ〜１４ｉの消費電力が低減され、システム全体の運用コストを節約することが可能となる。
【０１００】
次に、第２の実施の形態に係る樋門・樋管の情報収集システム１０Ｂについて、図１３を参照しながら説明する。なお、なお、第１の実施の形態に係る樋門・樋管の情報収集システム１０Ａと同一の構成要素については、同一の参照符号を付して、その詳細な説明を省略し、以下同様とする。
【０１０１】
樋門・樋管の情報収集システム１０Ｂは、操作員４８が、複数の樋門・樋管１２ａ〜１２ｅにおける外水位、内水位及びゲート４０の開閉状態に関する各データを、１つの樋門・樋管観測装置１４ａのデータ入力部５８に入力する点で第１の実施の形態に係る樋門・樋管の情報収集システム１０Ａ（図１参照）とは異なる。
【０１０２】
この場合、各樋門・樋管１２ａ、１２ｃ〜１２ｅは、操作員４８の行動範囲も考慮して、樋門・樋管観測装置１４ａから数ｍ〜数十ｍの範囲内に設置されていることが好ましい。
【０１０３】
これにより、第２の実施の形態に係る樋門・樋管の情報収集システム１０Ｂでは、数ｍ〜数十ｍの範囲内で隣接する複数の樋門・樋管１２ａ〜１２ｅに対して１つの樋門・樋管観測装置１４ａが配置されているので、樋門・樋管の情報収集システム１０Ｂにおける樋門・樋管観測装置の設置個数を減少することができると共に、システム全体の構築コストを低減することが可能となる。また、樋門・樋管観測装置１４ａに隣接して複数の樋門・樋管１２ａ〜１２ｅが配置されているので、操作員４８の負担を軽減することが可能となる。
【０１０４】
次に、第３の実施の形態に係る樋門・樋管の情報収集システム１０Ｃについて、図１４〜図１７を参照しながら説明する。
【０１０５】
樋門・樋管の情報収集システム１０Ｃは、樋門・樋管観測装置１４ａ〜１４ｆと、電動制御の樋門・樋管２８ａ〜２８ｄを監視・制御する現場装置６０ａ〜６０ｄとを、中央装置１８０で管理・運用を行う点で、第１の実施の形態に係る樋門・樋管の情報収集システム１０Ａ（図１参照）とは異なる。
【０１０６】
図１４及び図１５に示すように、複数の樋門・樋管観測装置１４ａ〜１４ｅと複数の現場装置６０ａ〜６０ｄとが、通信回線１６を介して中央装置１８０に接続されている。さらに、中央装置１８０は、インターネット回線１８４を介してパーソナルコンピュータ（ＰＣ）１８６、携帯電話１８８及び移動体端末１９０にも接続されている。
【０１０７】
図１６は、代表的に現場装置６０ａ及び中央装置１８０の内部構成を示すブロック図であり、これらの内部構成は、他の現場装置６０ｂ〜６０ｄも同様である。
【０１０８】
中央装置１８０は、通信回線１６を介して各樋門・樋管観測装置１４ａ〜１４ｆ及び各現場装置６０ａ〜６０ｄから受信される信号を処理し、これらの信号に基づいて樋門・樋管１２ａ〜１２ｆ、２８ａ〜２８ｄの監視・制御を行うサーバ１９８と、通信回線１６を介して各樋門・樋管観測装置１４ａ〜１４ｆ及び各現場装置６０ａ〜６０ｄから受信される信号をその宛先に従って中央装置１８０内の所定の場所に送信すると共に、中央装置１８０内の所定の場所から受信した信号をその宛先に従って各現場装置６０ａ〜６０ｄに送信するハブ２００と、ハブ２００に接続され、且つ通信回線１６を介して送受信される光信号を電気信号に変換するＥ／Ｏ変換部２０２と、通信回線１６と中央装置１８０とを接続する光成端箱２０４と、サーバ２４０内で処理された結果を表示する表示手段２０６と、中央装置１８０の担当者が入力操作を行う操作手段２０８と、通信回線１６、光成端箱２０４及びハブ２００を介して各現場装置６０ａ〜６０ｄの操作員と通話を行うことが可能なＩＰ（Internet Protocol）電話機２１０と、表示手段２０６及び操作手段２０８と同様の機能を備えた監視制御端末２１２とを有する。
【０１０９】
サーバ１９８は、通信回線１６を介して各樋門・樋管観測装置１４ａ〜１４ｆ及び各現場装置６０ａ〜６０ｄから中央装置１８０に送信される信号を処理する中央統括処理部２１４と、中央統括処理部２１４で処理された内容を表示手段２０６に転送する監視処理部２１６と、中央統括処理部２１４で処理された内容を蓄積する記憶部２１８と、操作手段２０８からの操作入力に基づいて各現場装置６０ａ〜６０ｄに対する制御信号を生成する制御処理部２２０とを有する。
【０１１０】
中央装置１８０は、さらにハブ２００及びインターネット回線１８４を介してパーソナルコンピュータ（ＰＣ）１８６、携帯電話１８８及び移動体端末１９０にも接続されている。この場合、ＰＣ１８６、携帯電話１８８及び移動体端末１９０は、表示手段２０６及び操作手段２０８と同様の機能を備えている。そのため、中央装置１８０の担当者は、中央装置１８０内にいなくても各樋門・樋管１２ａ〜１２ｆ、２８ａ〜２８ｄ、各樋門・樋管観測装置１４ａ〜１４ｆ及び各現場装置６０ａ〜６０ｄの状況を把握することができる。
【０１１１】
一方、現場装置６０ａは、中央装置１８０及び各現場装置６０ａ〜６０ｄからの信号を処理し、これらの信号に基づいて樋門・樋管２８ａ〜２８ｄの監視・制御を行うサーバ２４０と、通信回線１６と現場装置６０ａとを接続する光成端箱２４２と、通信回線１６及び光成端箱２４２を介して光信号を電気信号に変換するＥ／Ｏ変換部２４４と、中央装置１８０及び各現場装置６０ａ〜６０ｄから受信される信号を、その宛先に従って現場装置６０ａ内の所定の場所に送信すると共に、現場装置６０ａ内の所定の場所から受信された信号をその宛先に従って中央装置１８０及び他の現場装置６０ｂ〜６０ｄに送信するハブ２４６と、サーバ２４０で処理された結果を表示する表示手段２４８と、現場装置６０ａの操作員４８が入力操作を行う操作手段６４とを有する。
【０１１２】
サーバ２４０は、樋門・樋管２８ａのデータ（外水位、内水位、樋門・樋管２８ａの開閉状況等）を収集する収集処理部２６６と、収集処理部２６６からのデータの信号、操作手段６４での操作員４８の入力操作による信号及び通信回線１６を介して中央装置１８０及び各現場装置６０ｂ〜６０ｄから現場装置６０ａに送信される信号を処理する中央統括処理部２６４と、中央統括処理部２６４で処理された内容に基づいて樋門・樋管２８ａの制御を示す制御信号を生成する制御処理部２６８と、収集処理部２６６からのデータ信号及び他の樋門・樋管２８ａ〜２８ｄのデータ信号を蓄積する記憶部２７０とを有する。
【０１１３】
現場装置６０ａは、制御処理部２６８からの信号を樋門・樋管２８ａの監視・制御を行うための信号に変換する信号変換手段２５２と、信号変換手段２５２からの信号に基づいて樋門・樋管２８ａを制御する信号をゲート昇降装置６６に送信する樋門・樋管制御手段２５４と、樋門・樋管２８ａ近傍に設けられた外水位計２８０で測定された外水位（１次支川２４の水位）及び内水位計２８２で測定された内水位（２次支川２６の水位）を収集して信号に変換する水位変換手段２５６と、樋門・樋管２８ａ、１次支川２４及び２次支川２６を撮影するカメラ２７６、２７８からの映像を信号に変換し、これらの信号を圧縮する信号圧縮手段２５８と、信号圧縮手段２５８、ハブ２４６、Ｅ／Ｏ変換部２４４、光成端箱２４２及び通信回線１６を介して中央装置１８０及び他の現場装置６０ｂ〜６０ｄと通話するためのＩＰ電話機２６０と、現場装置６０ａに対する電力供給が停止しても、蓄電池に蓄積された電力を現場装置６０ａ内の各手段に供給する無停電電源２６２とをさらに有する。
【０１１４】
樋門・樋管２８ａのゲート４０を挟んで１次支川２４の上方には、１次支川２４及びゲート４０の１次支川２４側を撮影するカメラ２７６と、カメラ２７６による撮影を補助するための照明装置２７２とが配置される一方で、ゲート４０を挟んで２次支川２６の上方には、２次支川２６及びゲート４０の２次支川２６側を撮影するカメラ２７８と、カメラ２７８による撮影を補助するための照明装置２７４とが配置されている。これらのカメラ２７６、２７８によって撮影された映像は、上述したように現場装置６０ａ内に配置された信号圧縮手段２５８に送信される。
【０１１５】
また、１次支川２４の樋門・樋管２８ａ近傍には外水位計２８０が配置され、２次支川２６の樋門・樋管２８ａ近傍には内水位計２８２が配置されている。外水位計２８０及び内水位計２８２によって測定された１次支川２４の外水位及び２次支川２６の内水位は、水位変換手段２５６において信号に変換され、水位変換手段２５６からサーバ２４０を介して信号圧縮手段２５８に送信される。
【０１１６】
信号圧縮手段２５８では、上述したカメラ２７６、２７８からの映像信号、水位変換手段２５６からの水位信号及びＩＰ電話機２６０からの音声信号が受信される。信号圧縮手段２５８では、これらの信号を圧縮してから、送信先（中央装置１８０及び他の現場装置６０ｂ〜６０ｄ）を示すヘッダを添付したデータ信号に変換し、さらに通信回線１６を介して送信先に送信する。
【０１１７】
次に、中央装置１８０からの各樋門・樋管２８ａ〜２８ｄ及び現場装置６０ａ〜６０ｄの監視・制御について、図１７のフローチャートを参照しながら説明する。なお、ここでは、代表的に中央装置１８０による樋門・樋管２８ａ及び現場装置６０ａの監視・制御について説明する。
【０１１８】
先ず、現場装置６０ａにおいて、外水位計２８０による１次支川２４の外水位の測定と、内水位計２８２による２次支川２６の内水位の測定とが各々行われると共に、カメラ２７６によるゲート４０近傍の１次支川２４のカメラ撮影と、カメラ２７８によるゲート４０近傍の２次支川２６のカメラ撮影とが各々行われる（ステップＳ１００）。夜間やゲート４０近傍の視界が悪い場合には、信号変換手段２５２からの信号によって照明装置２７２、２７４が駆動し、カメラ２７６、２７８の撮影範囲が照射される。
【０１１９】
測定された外水位及び内水位は、水位変換手段２５６において水位信号に変換され、サーバ２４０を介して信号圧縮手段２５８に送信される。また、ゲート４０の開閉状態は、前記開閉状態を示す開閉状況信号に変換された後、樋門・樋管制御手段２５４からサーバ２４０を介して信号圧縮手段２５８に送信される。さらに、ゲート４０近傍の映像は、映像信号に変換された後、カメラ２７６、２７８から信号圧縮手段２５８に送信される。さらにまた、現場装置６０ａの操作員４８がＩＰ電話機２６０を介して中央装置１８０の担当者と通話する場合には、音声信号が信号圧縮手段２５８に送信される。
【０１２０】
信号圧縮手段２５８は、前記水位信号、前記開閉状況信号、前記映像信号及び前記音声信号を圧縮し、さらにこれらの信号を所定のデータ量に分割したデータ信号に変換する。その際、分割された前記データ信号の先頭には、中央装置１８０が送信先であることを示すヘッダが添付される。そして、前記データ信号は、ハブ２４６を介してＥ／Ｏ変換部２４４において電気信号から光信号に変換され、前記光信号は光成端箱２４２及び通信回線１６を介して中央装置１８０に送信される（ステップＳ１０１）。
【０１２１】
次いで、中央統括処理部２６４内では、前記水位信号、前記開閉状況信号及び前記映像信号が処理され、処理結果は表示手段２４８に表示される（ステップＳ１０２）。この場合、表示手段２４８に表示される内容は、ゲート４０近傍の１次支川２４及び２次支川２６の映像や、ゲート４０の開閉状況や、１次支川２４の外水位及び２次支川２６の内水位である。
【０１２２】
一方、通信回線１６を経由して中央装置１８０に到達した前記光信号は、光成端箱２０４を介してＥ／Ｏ変換部２２２において電気信号に変換され、ハブ２００に受信される（ステップＳ１０３）。ハブ２００は、前記ヘッダの示す送信先に従って送信先に前記データ信号を送信する。通常、前記データ信号は、サーバ１９８に送信される。
【０１２３】
サーバ１９８に受信された前記データ信号は、中央統括処理部２１４で処理され、処理結果は記憶部２１８に記憶されると共に、監視処理部２１６を介して表示手段２０６に表示される（ステップＳ１０４）。この場合、表示手段２０６には、カメラ２７６、２７８によって撮影されたゲート４０近傍の１次支川２４及び２次支川２６の映像や、ゲート４０の開閉状況や、１次支川２４の外水位及び２次支川２６に内水位が表示される。また、記憶部２１８に蓄積されている過去の情報を監視処理部２１６を介して表示手段２０６に表示させるようにしてもよい。これにより、これまでの樋門・樋管２８ａの状況と、現在の樋門・樋管２８ａの状況とを一目に比較することができる。
【０１２４】
一方、ハブ２００で受信された前記データ信号のうち、音声信号はＩＰ電話機２１０に送信され、ＩＰ電話機２１０を介して中央装置１８０の担当者は現場装置６０ａの操作員４８と通話をすることができる。
【０１２５】
制御処理部２２０は、中央統括処理部２１４での処理結果に基づいて、現場装置６０ａが樋門・樋管２８ａについて今後行うべき処理内容を示す指示信号を生成する。この場合、中央装置１８０の担当者が表示手段２０６に表示された内容に従って操作手段２０８の入力操作を行い、前記担当者の操作入力の内容に従って指示信号を生成することも可能である。
【０１２６】
次いで、この指示信号をハブ２００を介してＥ／Ｏ変換部２０２で電気信号から光信号に変換し、前記光信号を光成端箱２０４及び通信回線１６を介して現場装置６０ａに送信する（ステップＳ１０５）。
【０１２７】
送信された前記指示信号は、通信回線１６及び光成端箱２４２を介してＥ／Ｏ変換部２４４で光信号から電気信号に変換され、前記電気信号がハブ２４６に受信される。ハブ２４６は、受信された前記指示信号をサーバ２４０に送信し、サーバ２４０の中央統括処理部２６４はこの指示信号を受信する（ステップＳ１０６）。
【０１２８】
中央統括処理部２６４では、指示信号を処理し、処理結果（指示内容）を制御処理部２６８に送信する。制御処理部２６８は、処理結果に基づいて制御信号（例えば、ゲート４０の開放、閉鎖）を生成し、信号変換手段２５２に送信する。
【０１２９】
信号変換手段２５２では、前記制御信号に基づいて樋門・樋管制御手段２５４や照明装置２７２、２７４に信号を送信する。樋門・樋管制御手段２５４は受信された信号に基づいてゲート４０の開閉を制御するための信号を生成し、前記信号をゲート昇降装置６６に送信する。ゲート昇降装置６６は受信された前記信号に基づいてゲート４０の開閉制御を行う（ステップＳ１０７）。
【０１３０】
一方、中央装置１８０による樋門・樋管観測装置１４ａ〜１４ｆの管理・運用は、第１の実施の形態に係る樋門・樋管の情報収集システム１０Ａ（図１）と同様に、図８に示すステップＳ５において、各樋門・樋管観測装置１４ａ〜１４ｆからの到着信号Ｓｂが通信回線１６を介して中央装置１８０内のサーバ１９８に受信され、ステップＳ６において、中央統括処理部２１４で処理された到着信号Ｓｂの内容が表示手段２０６に表示される。これにより、中央装置１８０の担当者は、各樋門・樋管観測装置１４ａ〜１４ｆに操作員４８が到着したことを把握することができる。
【０１３１】
また、ステップＳ１０において、各樋門・樋管観測装置１４ａ〜１４ｆからのデータ信号Ｓａが通信回線１６を介して中央装置１８０内のサーバ１９８に受信され、ステップＳ１１において、中央統括処理部２１４で処理されたデータ信号Ｓａの内容が表示手段２０６に表示される。これにより、中央装置１８０の担当者は、各樋門・樋管１２ａ〜１２ｆの外水位、内水位及びゲート４０の開閉状況を把握することができる。
【０１３２】
このように、第３の実施の形態に係る樋門・樋管の情報収集システム１０Ｃでは、樋門・樋管観測装置１４ａ〜１４ｆ及び現場装置６０ａ〜６０ｄと、中央装置１８０とを通信回線１６を介して接続することにより、樋門・樋管観測装置１４ａ〜１４ｆ及び現場装置６０ａ〜６０ｄを中央装置１８０において一括して管理・運用することが可能となる。
【０１３３】
なお、本発明に係る手動入力による樋門・樋管の情報収集システムは、上述の実施の形態に限らず、本発明の要旨を逸脱することなく、種々の構成を採り得ることは勿論である。
【図面の簡単な説明】
【０１３４】
【図１】第１の実施の形態に係る樋門・樋管の情報収集システムを示すブロック図である。
【図２】図１の樋門・樋管の配置状況を示す平面図である。
【図３】樋門・樋管を示す斜視図である。
【図４】図３のＩＶ−ＩＶ線に沿った断面図である。
【図５】図３のＶ−Ｖ線に沿った断面図である。
【図６】樋門・樋管を示す斜視図である。
【図７】データ入力部の表示画面を示す説明図である。
【図８】図１の樋門・樋管の情報収集システムの動作を説明するフローチャートである。
【図９】出力端末の表示内容を示す説明図である。
【図１０】出力端末の表示内容を示す説明図である。
【図１１】出力端末の表示内容を示す説明図である。
【図１２】出力端末の表示内容を示す説明図である。
【図１３】第２の実施の形態に係る樋門・樋管の情報収集システムの平面図である。
【図１４】第３の実施の形態に係る樋門・樋管の情報収集システムを示すブロック図である。
【図１５】図１４の樋門・樋管の配置状況を示す平面図である。
【図１６】図１４の現場装置及び中央装置の構成を示すブロック図である。
【図１７】第３の実施の形態に係る樋門・樋管の情報収集システムの動作を説明するフローチャートである。
【図１８】従来技術に係る樋門・樋管の監視システムを示すブロック図である。
【符号の説明】
【０１３５】
１０Ａ〜１０Ｃ…樋門・樋管の情報収集システム
１２ａ〜１２ｉ、２８ａ〜２８ｅ…樋門・樋管
１４ａ〜１４ｉ…樋門・樋管観測装置
１６…通信回線                  １８…樋門・樋管情報収集装置
２０…本川                      ２２…支川
２４…１次支川                  ２６…２次支川
３０…堤外地                    ３２…堤内地
３４…堤防                      ３６…樋門・樋管本体
３６ａ…柱部                    ３６ｂ…梁部
３６ｃ…橋架部                  ３８…柵
４０…ゲート                    ４２…ロッド
４２ａ…ラック                  ４４、６６…ゲート昇降装置
４６…ハンドル                  ４８…操作員
５０、５６、６２…扉            ５２…外水位計
５４…内水位計                  ５８…データ入力部
６０ａ〜６０ｄ…現場装置        ６４…操作手段
７０…到着監視手段              ７２、９４、２００、２４６…ハブ
７４、２０２、２４４…Ｅ／Ｏ変換部
７６、９０、２０４、２４２…光成端箱
７８…電源部                    ９２…Ｏ／Ｅ変換部
９６、１９８、２４０…サーバ    ９８…出力端末
１８０…中央装置
【図１】
2005256347.tif 000003
【図２】
2005256347.tif 000004
【図３】
2005256347.tif 000005
【図４】
2005256347.tif 000006
【図５】
2005256347.tif 000007
【図６】
2005256347.tif 000008
【図７】
2005256347.tif 000009
【図８】
2005256347.tif 000010
【図９】
2005256347.tif 000011
【図１０】
2005256347.tif 000012
【図１１】
2005256347.tif 000013
【図１２】
2005256347.tif 000014
【図１３】
2005256347.tif 000015
【図１４】
2005256347.tif 000016
【図１５】
2005256347.tif 000017
【図１６】
2005256347.tif 000018
【図１７】
2005256347.tif 000019
【図１８】
2005256347.tif 000020